(57)【要約】【課題】  携帯電話の防水型スライドスイッチ装置において、防水性を十分とする。【解決手段】  操作部筐体１にはノブ部材２１が左右方向に移動可能に設けられている。操作部筐体１の内側に設けられた内部ケース３１の貫通孔３２には押釦本体３４およびその表面に設けられたシール部材３５からなる押釦が防水されて挿通されている。この場合、ノブ部材２１とシール部材３５とを分離しているので、ノブ部材２１を左右方向に移動させても、この移動がシール部材３５による防水構造に何ら奥影響を与えることがなく、したがって防水性を十分とすることができる。【選択図】図３
2013168234.tif 000002
【特許請求の範囲】
【請求項１】
貫通孔を有するケースと、前記ケースの貫通孔内およびその外側にスライド可能に設けられたノブ部材と、前記ケースの内側において前記ノブ部材と対向するように設けられ、前記ノブ部材がスライド方向の一の位置にあるとき、前記ノブ部材によって押されてオン状態となり、前記ノブ部材がスライド方向の他の位置にあるとき、前記ノブ部材による押圧を解除されてオフ状態となる防水型の押釦スイッチとを備えていることを特徴とする防水型スライドスイッチ装置。
【請求項２】
請求項１に記載の発明において、前記押釦スイッチは、前記ケースの内側に設けられた内部ケースに設けられた貫通孔に防水されて挿通され、前記ノブ部材によって押される押釦を有することを特徴とする防水型スライドスイッチ装置。
【請求項３】
請求項２に記載の発明において、前記押釦は、前記内側ケースの貫通孔内に設けられた有底筒状のシール部材と、前記シール部材内にその頭部が前記シール部材から突出するように設けられ、前記ノブ部材によって押される押釦本体とを有することを特徴とする防水型スライドスイッチ装置。
【請求項４】
請求項２または３に記載の発明において、前記押釦スイッチは、前記押釦と対向して設けられたドームスイッチを有することを特徴とする防水型スライドスイッチ装置。
【請求項５】
請求項１〜４のいずれかに記載の発明において、前記ケースはその厚さ方向に第１のケースと第２のケースとに分割され、前記第１のケースおよび前記第２のケースの前記第２のケースおよび前記第１のケースと接合される端面に前記貫通孔を形成するための貫通溝が設けられ、前記各貫通溝の両側における前記各端面に突起を有するガイド溝が設けられ、前記ノブ部材はその両側に突起を有するアーム部を有し、前記第１のケースと前記第２のケースとを結合した状態では、前記ノブ部材のアーム部は前記第１のケースおよび前記第２のケースのガイド溝に配置され、前記第１のケースおよび前記第２のケースの突起と前記ノブ部材の突起との係止作用により、前記ノブ部材は移動方向の一方の位置と他方の位置とのいずれかにロックされるようになっていることを特徴とする防水型スライドスイッチ装置。
【発明の詳細な説明】
【技術分野】
【０００１】
この発明は防水型スライドスイッチ装置に関する。
【背景技術】
【０００２】
例えば、携帯電話には、防水型スライドスイッチ装置を備えたものがある（例えば、特許文献１参照）。特許文献１に記載の防水型スライドスイッチ装置では、ケースの外面に設けられた溝にノブがスライド可能に配置されている。ノブの内面に設けられた駆動腕は、ケースに設けられた貫通孔を介してケース内に挿入され、ケース内に設けられたスライドスイッチのスイッチ切り換え部材に連結されている。そして、ケース内に設けられたバネの力でノブをケースの溝の底面に圧接させ、これにより防水するようにしている。
【先行技術文献】
【特許文献】
【０００３】
【特許文献１】特開平９−９２０８３号公報
【発明の概要】
【発明が解決しようとする課題】
【０００４】
しかしながら、上記従来の防水型スライドスイッチ装置では、ケース内に設けられたバネの力でノブをケースの溝の底面に圧接させているだけであるので、ノブをスライドさせるとき、ノブをケースの溝の底面に十分に圧接させることができないおそれがあり、防水性が十分であるとは言えないという問題がある。
【０００５】
そこで、この発明は、防水性を十分とすることができる防水型スライドスイッチ装置を提供することを目的とする。
【課題を解決するための手段】
【０００６】
この発明に係る防水型スライドスイッチ装置は、貫通孔を有するケースと、前記ケースの貫通孔内およびその外側にスライド可能に設けられたノブ部材と、前記ケースの内側において前記ノブ部材と対向するように設けられ、前記ノブ部材がスライド方向の一の位置にあるとき、前記ノブ部材によって押されてオン状態となり、前記ノブ部材がスライド方向の他の位置にあるとき、前記ノブ部材による押圧を解除されてオフ状態となる防水型の押釦スイッチとを備えていることを特徴とするものである。
【発明の効果】
【０００７】
この発明によれば、防水性を十分とすることができる。
【図面の簡単な説明】
【０００８】
【図１】この発明の一実施形態としての防水型スライドスイッチ装置を備えた携帯電話の平面図。
【図２】図１の左側面図。
【図３】図２のIII−III線に沿う一部の断面図。
【発明を実施するための形態】
【０００９】
図１はこの発明の一実施形態としての防水型スライドスイッチ装置を備えた携帯電話の平面図を示し、図２は図１の左側面図を示す。この携帯電話は操作部筐体（ケース）１を備えている。操作部筐体１は、その厚さ方向に第１のケース１ａと第２のケース１ｂとに分割され、第１のケース１ａと第２のケース１ｂとが結合された構造となっている。操作部筐体１をその厚さ方向に第１のケース１ａと第２のケース１ｂとに分割している理由については後で説明する。操作部筐体１のヒンジ部２には表示部筐体３が回動可能に取り付けられている。操作部筐体１の左側面の所定の箇所には、この発明の一実施形態としての防水型スライドスイッチ装置４のノブ２２が図２において左右方向にスライド可能に設けられている。
【００１０】
次に、図３は図２のIII−III線に沿う一部（防水型スライドスイッチ装置４の部分）の断面図を示す。操作部筐体１の第１のケース１ａの第２のケース１ｂと接合される端面の所定の箇所にはほぼ十字形状の溝、すなわち当該端面の部分の厚さ方向（図３において天地方向）に貫通する貫通溝１１およびこの貫通溝１１の中央部から左右方向に延びるガイド溝１２、１３が設けられている。ガイド溝１２、１３の内側（図３において天側）の壁面の各所定の箇所には断面半円形状の突起１４、１５が設けられている。
【００１１】
ここで、図示していないが、操作部筐体１の第２のケース１ｂの第１のケース１ａと接合される端面の所定の箇所には、第１のケース１ａと同様に、貫通溝、ガイド溝および突起が設けられている。そして、第１のケース１ａと第２のケース１ｂとが結合された状態では、第１のケース１ａの貫通溝１１と第２のケース１ｂの貫通溝とにより、後述するノブ部材２１を挿通するための貫通孔が形成されている。
【００１２】
第１のケース１ａの貫通溝１１、その外側およびガイド溝１２、１３および第２のケース１ｂの貫通溝、その外側およびガイド溝にはノブ部材２１が設けられている。ノブ部材２１は、側面ほぼ長方形状のノブ２２の内面中央部に板状部２３が設けられ、板状部２３のほぼ中央部の左右両側にアーム部２４、２５が設けられ、アーム部２４、２５の先端部内面に断面半円形状の突起２６、２７が設けられ、板状部２３の先端面の右側に断面半円形状の突起２８が設けられた構造となっている。
【００１３】
そして、ノブ２２は操作部筐体１の外面に左右方向にスライド可能に設けられている。板状部２３は第１のケース１ａの貫通溝１１および第２のケース１ｂの貫通溝からなる貫通孔に左右方向移動可能に挿通されている。アーム部２４、２５はそれぞれ第１のケース１ａのガイド溝１２、１３および第２のケース１ｂのガイド溝に左右方向移動可能に設けられている。これにより、ノブ部材２１は、第１のケース１ａの貫通溝１１、その外側およびガイド溝１２、１３および第２のケース１ｂの貫通溝、その外側およびガイド溝に左右方向移動可能に設けられている。
【００１４】
ここで、操作部筐体１をその厚さ方向に第１のケース１ａと第２のケース１ｂとに分割している理由について説明する。操作部筐体１をその厚さ方向に第１のケース１ａと第２のケース１ｂとに分割していない場合には、ノブ部材２１を組み込むことができない。そこで、操作部筐体１をその厚さ方向に第１のケース１ａと第２のケース１ｂとに分割し、そして例えば、第１のケース１ａの貫通溝１１、その外側およびガイド溝１２、１３にノブ部材２１の半分を配置し、次いで第１のケース１ａと第２のケース１ｂとを結合すると、ノブ部材２１を組み込むことができる。なお、以下では、第２のケース１ｂの貫通溝、ガイド溝および突起についての説明は省略し、操作部筐体１の貫通溝１１、ガイド溝１２、１３および突起１４、１５として説明する。
【００１５】
操作部筐体１の内側には内部ケース３１が設けられている。操作部筐体１の貫通溝１１の中央部に対応する部分における内部ケース３１には円形状の貫通孔３２が設けられている。内部ケース３１の貫通孔３２内、その外側およびその内側には防水型の押釦スイッチ３３が設けられている。
【００１６】
押釦スイッチ３３は押釦本体３４およびシール部材３５からなる押釦を備えている。押釦本体３４は、ポリアミド等の樹脂によって形成され、円柱部３４ａの平坦な頭部の左右両側に内側に向かって傾斜する傾斜片３４ｂ、３４ｃが設けられた構造となっている。シール部材３５は、シリコーンゴム等によって形成され、押釦本体３４の円柱部３４ａの表面に設けられた有底円筒形状部３５ａの中央部外周面に突起３５ｂがリング状に設けられ、有底円筒形状部３５ａの底部外面中央部に円柱形状の突起３５ｃが設けられ、有底円筒形状部３５ａの頭部外周部にフランジ部３５ｄが設けられた構造となっている。
【００１７】
そして、押釦本体３４の円柱部３４ａはシール部材３５の有底円筒形状部３５ａ内に圧入されている。シール部材３５の突起３５ｂを含む有底円筒形状部３５ａは内部ケース３１の貫通孔３２内に圧入されている。この状態では、突起３５ｂが内部ケース３１の貫通孔３２の内壁面に圧接されていることにより、内部ケース３１の貫通孔３２の部分は防水されている。シール部材３５の突起３５ｃは内部ケース３１の内側にやや突出されている。シール部材３５のフランジ部２７ｄおよび押釦本体３４の傾斜片３４ｂ、３５ｃは内部ケース３１の外側に設けられている。
【００１８】
内部ケース３１の内側にはフレーム４１が設けられている。内部ケース３１の貫通孔３２に対応する部分におけるフレーム４１の外面には、押釦スイッチ３３の一部を構成するドームスイッチ４２が設けられている。ドームスイッチ４２は、フレーム４１の外面に粘着剤（図示せず）を介して貼り付けられたフィルム基板４３を備えている。フィルム基板４３の外面においてシール部材３５の突起３５ｃに対応する部分には一対の固定接点（図示せず）が設けられている。フィルム基板４３の一対の固定接点の外側にはステンレス等からなるドーム状の板バネからなる可動接点４４が設けられている。可動接点４４およびフィルム基板４３の外面には粘着シート４５が貼り付けられている。これにより、可動接点４４は固定されている。
【００１９】
ここで、図３に示すように、ノブ部材２１が右方向移動限位置に位置する状態では、ノブ部材２１の右側のアーム部２５の突起２７が操作部筐体１の右側のガイド溝１３内の突起１５を乗り越えてその右側に位置することにより、ノブ部材２１は右方向移動限位置にロックされている。また、この状態では、ノブ部材２１の突起２８が押釦本体３４の右側の傾斜片３４ｃに当接することにより、押釦本体３４はノブ部材２１の突起２８によって押圧されない状態にある。この結果、シール部材３５は初期状態にあり、その突起３５ｃは可動接点４４の外面に設けられた粘着シート４５の外面にただ単に当接されている。したがって、この状態では、ドームスイッチ４２はオフ状態となっている。
【００２０】
次に、この携帯電話の防水型スライドスイッチ装置４において、ドームスイッチ４２をオン状態とする場合について説明する。図３において、ノブ部材２１を左方向に移動させる。すると、ノブ部材２１の右側のアーム部２５の突起２７が操作部筐体１の右側のガイド溝１３内の突起１５を乗り越えてその左側に位置し、且つ、ノブ部材２１の左側のアーム部２４の突起２６が操作部筐体１の左側のガイド溝１２内の突起１４を乗り越えてその左側に位置することにより、ノブ部材２１は左方向移動限位置にロックされる。
【００２１】
また、ノブ部材２１の突起２８が押釦本体３４の右側の傾斜片３４ｃの傾斜面を押しながら左方向に移動して押釦本体３４の円柱部３４ａの頭部の中央部に位置することにより、円柱部３４ａがシール部材３５の有底円筒形状部３５ａの底部を押圧する。すると、シール部材３５の突起３５ｃによって可動接点４４がその外面に設けられた粘着シート４５と共に押し込まれて弾性変形し、この押し込まれて弾性変形した可動接点４４がそれに対向する一対の固定接点に共に接触し、ドームスイッチ４２がオン状態となる。
【００２２】
このオン状態からドームスイッチ４２をオフ状態とする場合には、ノブ部材２１を右方向に移動させる。すると、ノブ部材２１の左側のアーム部２４の突起２６が操作部筐体１の左側のガイド溝１２内の突起１４を乗り越えてその右側に位置し、且つ、ノブ部材２１の右側のアーム部２５の突起２７が操作部筐体１の右側のガイド溝１３内の突起１５を乗り越えてその右側に位置することにより、ノブ部材２１は右方向移動限位置にロックされる。
【００２３】
また、ノブ部材２１の突起２８が押釦本体３４の円柱部３４ａの頭部の中央部から右方向に移動して押釦本体３４の右側の傾斜片３４ｃの傾斜面に位置することにより、ノブ部材２１の突起２８による押釦本体３４の円柱部３４ａに対する押圧が解除される。すると、シール部材３５の突起３５ｃによるドームスイッチ４２に対する押圧が解除され、ドームスイッチ４２が自己復帰して元のオン状態となる。また、ドームスイッチ４２の自己復帰力により、シール部材３５および押釦本体３４が元の状態に戻る。
【００２４】
ところで、この携帯電話の防水型スライドスイッチ装置４では、操作部筐体１にノブ部材２１を設け、内部ケース３１にシール部材３５を設け、ノブ部材２１とシール部材３５とを分離しているので、ノブ部材２１を左右方向に移動させても、この移動がシール部材３５による防水構造に何ら奥影響を与えることがなく、したがって防水性を十分とすることができる。
【００２５】
また、この携帯電話の防水型スライドスイッチ装置４では、水中で使用する場合、水圧が比較的高くても、ノブ２２が主として水圧を受け、押釦本体３４がほとんど水圧を受けないので、押釦本体３４が水圧により誤動作することがなく、したがってノブ２２が水圧等の外圧を受けても、誤動作することはない。
【００２６】
なお、この発明は、携帯電話に限らず、ＰＨＳ（Personal Handy-phone System）、ＰＤＡ（Personal Data Assistance, Personal Digital Assistance:個人向け携帯型情報通信機器）、ノートパソコン等の携帯型電子機器にも適用することができる。
【００２７】
以下、この発明の諸態様を付記としてまとめて記載する。
【００２８】
（付記１）
付記１の発明は、貫通孔を有するケースと、前記ケースの貫通孔内およびその外側にスライド可能に設けられたノブ部材と、前記ケースの内側において前記ノブ部材と対向するように設けられ、前記ノブ部材がスライド方向の一の位置にあるとき、前記ノブ部材によって押されてオン状態となり、前記ノブ部材がスライド方向の他の位置にあるとき、前記ノブ部材による押圧を解除されてオフ状態となる防水型の押釦スイッチとを備えていることを特徴とする防水型スライドスイッチ装置である。
【００２９】
（付記２）
付記２の発明は、付記１に記載の発明において、前記押釦スイッチは、前記ケースの内側に設けられた内部ケースに設けられた貫通孔に防水されて挿通され、前記ノブ部材によって押される押釦を有することを特徴とする防水型スライドスイッチ装置である。
【００３０】
（付記３）
付記３の発明は、付記２に記載の発明において、前記押釦は、前記内側ケースの貫通孔内に設けられた有底筒状のシール部材と、前記シール部材内にその頭部が前記シール部材から突出するように設けられ、前記ノブ部材によって押される押釦本体とを有することを特徴とする防水型スライドスイッチ装置である。
【００３１】
（付記４）
付記４の発明は、付記２または３に記載の発明において、前記押釦スイッチは、前記押釦と対向して設けられたドームスイッチを有することを特徴とする防水型スライドスイッチ装置である。
【００３２】
（付記５）
付記５の発明は、付記１〜４のいずれかに記載の発明において、前記ケースはその厚さ方向に第１のケースと第２のケースとに分割され、前記第１のケースおよび前記第２のケースの前記第２のケースおよび前記第１のケースと接合される端面に前記貫通孔を形成するための貫通溝が設けられ、前記各貫通溝の両側における前記各端面に突起を有するガイド溝が設けられ、前記ノブ部材はその両側に突起を有するアーム部を有し、前記第１のケースと前記第２のケースとを結合した状態では、前記ノブ部材のアーム部は前記第１のケースおよび前記第２のケースのガイド溝に配置され、前記第１のケースおよび前記第２のケースの突起と前記ノブ部材の突起との係止作用により、前記ノブ部材は移動方向の一方の位置と他方の位置とのいずれかにロックされるようになっていることを特徴とする防水型スライドスイッチ装置である。
【符号の説明】
【００３３】
１  操作部筐体
１ａ  第１のケース
１ｂ  第２のケース
２  ヒンジ部
３  表示部筐体
４  防水型スライドスイッチ装置
１１  貫通溝
１２  ガイド溝
２１  ノブ部材
３３  押釦スイッチ
３４  押釦本体
３５  シール部材
３１  内部ケース
４１  フレーム
４２  ドームスイッチ
【図１】
2013168234.tif 000003
【図２】
2013168234.tif 000004
【図３】
2013168234.tif 000005